(57)【要約】【課題】小径工具または工具アーバのためのバランスシステムを備えた加工ヘッドの革新的な構成を提供する。【解決手段】本発明は、少なくとも１つのモータスピンドルおよび少なくとも１つのカウンタースピンドルを備えた歯車製造機械のための加工ヘッドに関する。モータスピンドルとカウンタースピンドルとの間に、少なくとも１つの工具が設けられた工具アーバが取り付けられている。モータスピンドル内に少なくとも１つのバランス装置が設けられ、カウンタースピンドル内に少なくとも１つのバランス装置が設けられている。【選択図】なし【特許請求の範囲】
【請求項１】
少なくとも１つのモータスピンドルおよび少なくとも１つのカウンタースピンドルを備えた歯車製造機械用の加工ヘッドであって、
上記モータスピンドルと上記カウンタースピンドルとの間に、少なくとも１つの工具が設けられた工具アーバが取り付けられ、
上記モータスピンドル内に、少なくとも１つのバランス装置が設けられ、
上記カウンタースピンドル内に、少なくとも１つのバランス装置が設けられている
ことを特徴とする加工ヘッド。
【請求項２】
請求項１において、
各上記バランス装置は、全体が上記モータスピンドルまたは上記カウンタースピンドルのハウジング内に設けられ、かつ上記モータスピンドルのロータまたは上記カウンタースピンドルのシャフトに取り付けられている
ことを特徴とする加工ヘッド。
【請求項３】
請求項１または２において、
上記モータスピンドルおよび／または上記カウンタースピンドルの上記バランス装置は、二面バランス装置である
ことを特徴とする加工ヘッド。
【請求項４】
請求項１〜３のいずれか１項において、
上記バランス装置は、上記モータスピンドルおよび／または上記カウンタースピンドル内において、上記モータスピンドルまたは上記カウンタースピンドルのフロントスピンドル軸受の裏側または下方に配置されている
ことを特徴とする加工ヘッド。
【請求項５】
請求項１〜４のいずれか１項において、
上記モータスピンドルおよび／または上記カウンタースピンドルに、歯車製造加工の間の振動を記録するための少なくとも１つの振動センサが設けられ、
上記振動センサは、歯車製造機械の制御部と通信的に接続可能である
ことを特徴とする加工ヘッド。
【請求項６】
請求項５において、
上記モータスピンドルおよび／または上記カウンタースピンドルの後端部に、上記バランス装置を調節するための信号送信機が設けられている
ことを特徴とする加工ヘッド。
【請求項７】
請求項１〜６のいずれか１項において、
上記カウンタースピンドルと上記モータスピンドルとの間の間隔は、上記工具または上記工具アーバの長さに応じて可変的に調節可能である
ことを特徴とする加工ヘッド。
【請求項８】
請求項１〜７のいずれか１項において、
小さな工具径を有する上記工具は、上記工具アーバに収容可能であり、
上記工具は、小さな研削ホイールおよび／または小さな研削ウォーム、および／または少なくとも１つの研削ウォームと少なくとも１つの研削ホイールとの組み合わせである
ことを特徴とする加工ヘッド。
【請求項９】
請求項１〜８のいずれか１項において、
上記モータスピンドルは、８０００ｒｐｍ以上の回転速度で動作可能である
ことを特徴とする加工ヘッド。
【請求項１０】
請求項１〜９のいずれか１項において、
上記バランス装置の構成要素は、上記工具アーバ内に全く配置されていない
ことを特徴とする加工ヘッド。
【請求項１１】
請求項１〜１０のいずれか１項に記載の加工ヘッドを備えた、歯車装置を研削するための歯車製造機械。
【請求項１２】
請求項１１において、
上記歯車製造機械は、制御部を備え、
上記制御部は、上記加工ヘッドの信号送信機からの振動パラメータを受信し、受信した該振動パラメータおよび上記モータスピンドルの現在の回転速度および／または角度位置に応じて、研削工具のアンバランスを補償するように、少なくとも１つの上記バランス装置のための調整値を生成するように構成されている
ことを特徴とする歯車製造機械。
【発明の詳細な説明】
【技術分野】
【０００１】
本発明は、歯車製造装置、好ましくは歯車研削装置のための加工ヘッドに関するものである。
【背景技術】
【０００２】
工具、特に仕上げ用の研削工具は、高品質な結果物を得るためにバランスが取られている必要がある。工具アーバが１つ以上のディスク状工具および／または１つ以上の円筒状工具を有しているか否かによって、それらは１つのバランス面あるいは２つのバランス面内においてバランスが取られていなければならない。
【０００３】
アンバランスは、質量が中心周りに非対称に分布している回転体によって生じる回転力によるものである。回転軸回りに回転体が回転する場合、外方へ作用する遠心力が常に生じる。回転体内において質量が均一に分布している場合には、遠心力は互いに相殺し、当該回転体は回転の間において原位置に位置したままとなる。対照的に、質量が不均一に分布している場合には、回転軸に対する回転体の相対移動を生じさせる追加的な力およびトルクが回転体に作用する。回転体が固定されている場合には、軸受に歪みが生じる。
【０００４】
アンバランスには２種類のもの、すなわち静的アンバランスと動的アンバランスとがあり、それらはまた組み合わさって生じることもある。質量体が質量ｍｉを有する小さく細いディスクである場合、質量中心は回転軸に関して一定の間隔ｒｉをおいて一定の方向に存在する。このため、回転体の質量中心が回転軸上に位置せず、むしろ慣性中心主軸が回転軸からの間隔ｅと平行であるという静的アンバランスが生じる。よって、遠心力が回転において回転軸に対して垂直に作用しかつもはや相殺され得ない。アンバランスＵｉは、点質量ｍｉおよびその回転軸からの間隔ｒｉによって規定されて生じる。この静的アンバランスは、従来より静的状態において、例えば研削ホイール用のアンバランス・スケールを用いることによって測定され得る。
【０００５】
動的アンバランスでは、回転体の質量中心は明らかに回転軸上に存在するが、慣性主軸が回転軸と平行ではなく特定の角度をなしている。このことの原因は、個々のディスクの質量中心が回転軸上に存在していないことにある。そのことを考慮すると、これらの小さなディスクはしたがってアンバランスを生じさせる遠心力を有している。アンバランス力は明らかに合計するとゼロになる、すなわち横方向への力は生じないのだが、それらはアプリケーションの平行線上に位置するため、回転体に作用するモーメント負荷が生じる。いわゆる曲げモーメントがしたがって回転中に生じる。不均等で不安定な回転運動が結果として生じる。動的アンバランスは、回転している回転体においてのみ測定され得る。技術的な回転体においては、一般的な動的アンバランス、すなわち静的および動的アンバランスの組み合わせが典型的には存在する。
【０００６】
工具ホルダにおけるアンバランスは、設計、図面、材料、製造または設置における欠陥が存在する場合に生じる。言及した欠陥に加えて、アンバランスは、仕上げ用の研削工具において、異なる材料密度のために、または研削工具による異なった量の冷却液の受容のために生じ得る。
【０００７】
大きなアンバランスを有する工具は、加工において複数の点に関して悪影響を有する。そのような工具は、工具ホルダの振動のために加工されたワークピースの低品質な表面を作り出し、工具ホルダを発振させ、実現可能な切削速度に制限を課し、製作精度を低下させ、または不均一な刃の摩耗のために工具の寿命を短くさせる。
【０００８】
これらの悪影響を回避するために、技術的に実現可能であって経済的に有効なバランス品質において、工具ホルダのバランスを取ること、またはより良くは、クランプ工具によって工具ホルダのバランスを取ることが推奨されている。バランスを取る間には、工具ホルダの非対称な質量分布が、質量を付け加えるか、質量を取り除くか、あるいは質量を置き換えることで補償される。バランスを取ることの目的は、軸受力、軸受の振動、および波状変形（wave deformations）を許容値まで制限することである。
【０００９】
アンバランスを補償するためには、まずそれを測定プロセスを用いて分析的に求めることが必要である。生じる遠心力は振動センサによって測定され、アンバランスおよび必要とされるアンバランス補償が算出される。工具システムにおける必要とされる適合がそしてデータを用いて実行される。そのような工具は、別個のバランス機械において、および／または製造機械においてバランスが取られる。製造機械において仕上げられた工具は、また、仕上げプロセスにおいてバランス状態が変化し得る。そのような場合には、これらの工具を製造機械においてバランス取りすることがしたがって常に有利である。
【先行技術文献】
【特許文献】
【００１０】
【特許文献１】欧州特許出願公開第１８７０１９８号明細書
【発明の概要】
【発明が解決しようとする課題】
【００１１】
特許文献１には、工具アーバにおいて研削工具の直下に配置された研削ホイールのバランスを取るためのバランスシステムが示されている。工具のバランス状態は対応するセンサシステムによって検出され、処理装置によって評価される。バランスウェイトをそれ相応に調節するための制御信号が、評価の結果としてバランスユニットに出力される。
【００１２】
この実施形態は、従来技術に係る大きな工具や大きなウォーム径によく適している。なぜなら、工具ボアは十分に寸法が大きく、工具アーバはバランスヘッドの収容のための十分な空間を提供しているためである。利用可能なスペースが小さくなるほど、使用されるバランスウェイトが小さくなって、最大に補償可能なアンバランスが低減される。しかしながら、大きなアンバランスは特に往々にして高速回転工具において補正されなければならない。
【００１３】
衝突しそうなワークピースが加工される場合には、非常に小さな径を有する研削ウォームもしくは非常に小さな研削ホイール径を有する研削ホイール、またはその２つの組み合わせの使用が必要となる。このシステムは概してここでその限界に到達する。なぜなら、研削工具を収容するための工具アーバがバランスヘッドを収容するための特定の最小径を有している必要があるためである。
【００１４】
本発明の目的は、歯車製造機械のための加工ヘッドであって、小径工具または歯車加工用もしくは特に衝突しそうなワークピースの加工用の工具アーバのためのバランスシステムを備えた加工ヘッドの革新的な構成を提供することである。これらの小さな工具径は、ワークピースにおいて工具と歯車装置または別の歯車装置に隣り合う径との間の望ましくない衝突を工具径が生じさせるときに、そうでなければ大きくなりすぎるように選択される。
【課題を解決するための手段】
【００１５】
この目的は、請求項１の特徴を有する加工ヘッドによって達成される。加工ヘッドの有利な実施形態は従属請求項の主題である。
【００１６】
本発明によると、工具アーバを保持する少なくとも１つのモータスピンドルを備えた歯車製造機械のための加工ヘッドが提示される。本発明によると、保持された工具の任意のアンバランスを補正するためのバランス装置がモータスピンドル内に設けられる。工具アーバは両側において、すなわち一方ではモータスピンドルによって、他方では対向して配置されたカウンタースピンドルによって保持される。カウンタースピンドルは、また、少なくとも１つのバランス装置を有している。モータスピンドルおよびカウンタースピンドルのバランス装置は、好ましくは、アンバランスを補償するために位置調節可能なバランスウェイトまたはバランスヘッドを有している。すなわち、モータスピンドルおよびカウンタースピンドルに分散された構成要素は、アンバランスを補償するための共通の二面（two-plane）バランスシステムを形成し得る。
【００１７】
モータスピンドルまたはカウンタースピンドルにバランス装置を設けることにより、様々な工具アーバを保持すること、および様々な工具をその径に関係なく使用することが可能となる。非常に小さな径を有する工具、特に研削ホイールまたは研削ウォームが、それにより特に衝突しそうなワークピースにおいて歯車を製造するために使用され得る。この点において、最小工具ボア径は必要とされるバランス容量によって決まる。必要とされる容量が大きくなるほど、バランスシステムのための取付ボアが大きくならなければならない。この点において、５０ｍｍ以下の工具ボア径は、例えば、もはや従来技術に係るバランスシステムを工具アーバに設けることには適さない。
【００１８】
特に小さな径を有する様々な工具アーバの使用がモータスピンドルまたはカウンタースピンドル内にバランス装置を設けることにより可能とされるのみでなく、工具アーバにあるいは工具アーバの周囲にバランス装置を設けることによって生じ得る任意の突出端部がまた除外される。取り付けられたバランス装置は、特に、Ｖ方向における、すなわち工具の回転軸に沿った工具または工具アーバのシフト経路に影響しない。このことは、特に、歯車製造加工または歯車研削加工において有利である。なぜなら、工具の様々な領域がＶ軸方向におけるシフトによってワークピースと接触するためである。複数の同じ工具または異なった工具を工具アーバに設けることが同様に考えられる。そのような工具としては、例えばシフト移動によってワークピースに交互に接触する研削ホイールまたは研削ウォームが挙げられる。モータスピンドルまたはカウンタースピンドル内におけるバランス装置の完全な一体化は、最大シフト移動に影響しない。
【００１９】
モータスピンドルおよび／またはカウンタースピンドルのバランス装置は、理想的には完全にあるいは少なくともほぼ完全に、モータスピンドルまたはカウンタースピンドルのハウジングに取り囲まれている。例えば、モータスピンドルのバランス装置はロータ内に設けられてもよい一方、カウンタースピンドルのバランス装置はそこで回転可能に支持されたスピンドルシャフト内に設けられてもよい。
【００２０】
モータスピンドルおよび／またはカウンタースピンドルのバランス装置は、それぞれが１つ以上のバランスウェイトを有していてもよく、例えば、当該バランスウェイトは、測定された振動に応じてバランスウェイトの径方向移動によって補償が行われるように、各スピンドルの径方向において位置調節可能である。異なった液体量を含む複数の放射状に配置されたチャンバを有する実施形態が同様に考えられる。スピンドルのバランス状態は、液体チャンバの充填レベルの制御された変動によって変更され得る。
【００２１】
バランス装置の代替的な実施形態はバランス装置／バランス面当たり少なくとも１つのバランスウェイトに基づいていてもよく、当該バランスウェイトは少なくとも１つのモータによって中心軸周りにおいて電気機械的に調節可能である。２つのバランス面におけるバランス取りがそれにより実施され得る。
【００２２】
バランス装置が、モータスピンドル内またはカウンタースピンドル内において、フロントスピンドル軸受の裏側または下方に配置されていることが特に好ましい。フロントスピンドル軸受は、工具アーバに空間的に近く配置されている軸受に相当する。
【００２３】
少なくとも１つの振動センサ、好ましくは少なくとも１つの加速度センサが、任意のアンバランスを検出するために設けられ、理想的にはバランス面ごとに振動センサが、よってモータスピンドルに対して１つの振動センサが、カウンタースピンドルに対して別の振動センサが設けられている。振動センサは、好ましくは、歯車製造加工の間における振動、理想的には工具アーバ、保持された工具およびスピンドルのシステム全体の振動を記録する。振動センサは、好ましくは、制御部と通信接続されていてもよい。制御部は振動信号からバランスシステムの設定のための制御パルスを決定し、当該制御パルスは信号送信機を介して非接触でバランス装置に送信されなければならない。
【００２４】
１つ以上の信号送信機が、制御部でアンバランス信号が補正値に変換された後で、制御部で決定された補正信号をバランス装置に送信するために設けられていてもよい。信号送信機は、例えば、後端部、すなわちモータスピンドルまたはカウンタースピンドルの、工具アーバとは反対側に位置する端部に設けられていてもよい。
【００２５】
加工ヘッドは、特に、カウンタースピンドルとモータスピンドルとの間の間隔が可変的に設定され得るように設計されていてもよい。加工ヘッドは、それにより、工具の長さごとまたは工具アーバの長さごとに可変的に調節可能であるために様々な長さの工具に対して使用可能となる。このフレキシブルな構成の可能性は、まず、バランス装置がモータスピンドルまたはカウンタースピンドルに取り囲まれていて、工具アーバ自体に取り付けられていないことにより生じる。
【００２６】
加工ヘッドは、特に、非常に小さな研削ホイールまたは小さな研削ウォームのために寸法決めされる。そのような小さな寸法の工具は、好ましくは、高速回転で扱われる。モータスピンドルは、したがって、好ましくは、８０００ｒｐｍ以上の回転速度に対応して設計されている。
【００２７】
加工ヘッドに加えて、本発明は、また、本発明または本発明の有利な実施形態に係る少なくとも１つの加工ヘッドを用いて歯車装置を研削するための歯車製造機械に関する。歯車製造機械は、したがって、本発明に係る加工ヘッドと同様の利点および特性によって特徴付けられるので、ここでは再度の説明は省略する。
【００２８】
歯車製造機械は、加工ヘッドの１つ以上の振動センサおよび信号送信機または対応する評価電子機器に通信的に接続され得る少なくとも１つの制御部を備えている。制御部は、特に、振動センサからの１つ以上の振動パラメータを受信すること、および、受信した振動パラメータに応じてモータスピンドルおよび／またはカウンタースピンドルの１つ以上のバランス装置のための対応する調整値を生成することに適している。制御パラメータは、理想的には、また、振動センサによって検出されたアンバランスを補償するために、モータスピンドルの現在の回転速度、および／または、モータスピンドル／カウンタースピンドルの現在の角度位置に応じて生成される。
【図面の簡単な説明】
【００２９】
【図１】図１は、従来技術に係る加工ヘッドを示す図である。
【図２ａ】図２ａは、本発明に係る加工ヘッドの断面図である。
【図２ｂ】図２ｂは、小さな研削工具を伴う図２ａの加工ヘッドを示す図である。
【図３ａ】図３ａは、別の研削工具を伴う、本発明に係る加工ヘッドを示す別の図である。
【図３ｂ】図３ｂは、別の工具構成を伴う、本発明に係る加工ヘッドを示す別の図である。
【図３ｃ】図３ｃは、異なる研削ホイールを含む複数荷重の工具アーバを伴う、本発明に係る加工ヘッドを示す図である。
【図４】図４は、歯車製造加工における突出端部を示すための、本発明に係る加工ヘッドを示す別の図である。
【発明を実施するための形態】
【００３０】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３１】
まず、図１を参照しつつ、従来技術に係る実施形態について概観する。図１は、バランス装置によって研削ウォームを収容するための従来技術に係る機械の加工ヘッド１０を示している。工具、この例では研削ウォーム７０の駆動は、実施形態において、ＮＣ軸（Ｂ１軸）として設計されたモータスピンドル４０を介して実行される。研削ウォーム７０は、モータスピンドル４０とカウンター軸受３０との間に、工具取付インタフェース５０を介してクランプされている。
【００３２】
別個の振動センサ６５が各スピンドル、モータスピンドル４０およびカウンター軸受３０に設けられており、当該振動センサ６５を介して各振動平面に関連する信号が記録される。記録された振動信号は、制御部（ＮＣ）においてモータスピンドルの角度位置および速度に関連するデータと共に評価され、補正値に変換されて、引き続きデータインタフェース６０を介して工具アーバ７５内に配置された二面バランスヘッド８１，８２に設定値として送られる。
【００３３】
この実施形態は、大きな工具７０および従来技術に係る大きなウォーム径によく適している。なぜなら、工具ボアがバランス装置８１，８２を有する工具アーバを収容するのに十分大きく寸法決めされているためである。しかしながら、衝突しそうなワークピースが加工される場合には、より小さな径、より小さな研削ホイール径を有する研削ウォーム、またはその２つを組み合わせたものの使用が必要となる。システムはここでその限界に到達する。なぜなら、研削工具を収容するための工具アーバ７５が、バランスヘッド８１，８２を収容するために必要とされる最小径よりも小さくなるためである。
【００３４】
本発明に係る加工ヘッドが図２ａに示されている。研削ホイール７０は、工具アーバ７５に取り付けられ、また駆動モータ４１を有するモータスピンドル４０とカウンタースピンドル３０との間にインタフェースを介してクランプされている。工具の長さまたは工具収容アーバ７５の長さに応じて、カウンタースピンドル３０はＶ１方向において移動することによってその位置をそれ相応に設定され得る。工具旋回角度の調節はＡ１軸に関して行われる。工具の位置は、よって歯車装置のねじれ角に適合され、また追加的に、ウォーム型工具のリード角に適合される。歯車製造加工においては、品質的な理由のために、工具とワークピースとの間の理想的な位置依存性、または加工される歯のスペースが常に重要となる。軸方向移動は、この理由のために、ＮＣ軸（Ｂ１軸）によって互いに対して位置配向をもって行われる。工具は、Ｖ１軸を介してワークピースに対して接線方向に動かされ得る。工具は、よって、突出輪郭が存在することなく、その全幅にわたって利用され得る。
【００３５】
バランス装置のバランスヘッド３１，３２は、モータスピンドル４０のハウジング内およびカウンタースピンドル３０のハウジング内に位置している。バランスヘッド３１，３２は、特に、モータスピンドル４０のロータ４２内およびカウンタースピンドル３０の回転シャフト３４内に配置されている。ロータ４２およびシャフト３４は、それぞれ、ハウジング内においてスピンドル軸受２３，２４を介して支持されている。ここで、スピンドル軸受２４は、フロントスピンドル軸受を構成している。モータスピンドル４０およびカウンタースピンドル３０の各々に対して少なくとも１つずつ設けられた振動センサによって、振動信号が記録されかつ歯車製造機械の制御部に伝達される。記録された振動信号は、そしてモータスピンドル４０の角度位置および速度に関連するデータと共に制御部（ＮＣ）において評価され、補正値に変換されて、引き続きモータスピンドル４０およびカウンタースピンドル３０内に配置された二面バランスヘッド３１，３２にデータインタフェースを介して設定値として送られる。
【００３６】
ここで使用される工具アーバ７５では、アーバ７５内におけるバランスユニットの配置は、ここで使用される工具アーバ径のために問題にはならないだろう。対照的に、図２ｂに係る工具アーバ７５の使用においては状況が異なる。図２ｂ、図３ａ、図３ｂ、図３ｃおよび図４は、図２ａの本発明に係る加工ヘッドを示しているが、異なる研削プロセスのための異なる工具アーバ７５を使用している。
【００３７】
図２ｂでは、小さな外径を有する研削ウォーム７１が、それに応じて小さな径を有する工具アーバ７５に取り付けられている。これらの研削ウォーム７１は、ワークピースが突出輪郭に関わらずグラウンド（ground）を生成できるように、ウォーム径がワークピースにおける衝突輪郭のために小さくされる必要のあるときに使用される。この径またはより小さな工具アーバ径においては、何よりまず十分なバランス容量が提供されるべきときに、もはやアーバ７５内に対応するバランスユニットのためのスペースは存在しない。
【００３８】
図３ａでは、非常に小さな研削ホイール径の使用が、非常に小さなワークピース径を有し、特に突出輪郭を有するワークピース９０の歯車製造のためにしばしば使用されるものとして示されている。図３ｂに示す研削ウォーム７３と研削ホイール７２とを組み合わせた工具は、また、非常に小さなワークピース径および突出輪郭を有するワークピース９０の加工を提供する。この例では、ラフ加工が研削ウォーム７３によって実行され、これはよって研削ホイール７２による各歯スペースの個別の加工よりも非常に速く行われ得る。歯車装置における品質要求は、何よりまず歯すじの表面粗さであって、仕上げホイール７２または仕上げホイールパッケージによる加工によって実現される。
【００３９】
図３ｃは、二歯車装置システムにおいてしばしば使用される４つの分離した研削ホイール７２を有する工具アーバを示している。１つのホイール対７２が、それぞれ歯車装置の加工のために使用される。それは通常、荒削りホイールまたは仕上げホイールである。しかしながら、ホイールパッケージ、いわゆるマルチホイールの使用が同様に可能である。
【００４０】
図４は、他の工作機械に対する歯車製造機械の特別な特徴を示している。歯車製造機械およびウォーム型工具７１では、工具７１の全体がその幅にわたって使用される。ワークピースが加工され始めると、工具７１は典型的にはＶ１方向において特定量だけ移動／シフトされる。工具７１の均一な摩耗、または乾燥生成における均一な工具の加熱がこのプロセスにおいて実現される。
【００４１】
ある例では、ワークピース９０が特定の形状を実現するべく加工されている間、特に改良された工具７１が研削の間において斜めにシフトされる。このことから生じる状況は、特に縁の工具領域において、主軸受およびカウンター軸受３０，４０が歯車装置のねじれ角に依存した追加的な突出輪郭として考慮に入れられる必要があるということである。２つの領域９１，９１’は、出来る限り突出輪郭から自由なままであるべき領域を示している。したがって、工具アーバの安定性の理由のために、しかしながら、特に細い工具７１，７２または細い工具アーバ７５が十分な安定性を有するために、工具アーバが長すぎることがないことが必要である。従来技術に係る機械において知られている、制御部とアーバ内のバランスユニットとの間における情報のデータ交換のための伝達ユニットは、小さな工具およびワークピース径において非常に邪魔になるだろうし、また許容されるシフト範囲を制限するだろう。なぜなら、対応する構造スペースが回転伝達のための工具アーバの周囲に放射状に設けられる必要があるためである。
【符号の説明】
【００４２】
１０    加工ヘッド
２４    スピンドル軸受（フロントスピンドル軸受）
３０    カウンタースピンドル
３４    シャフト
４０    モータスピンドル
４２    ロータ
６５    振動センサ
７０    研削ホイール、研削ウォーム（工具）
７１    研削ウォーム（工具）
７５    工具アーバ
８１    バランス装置
８２    バランス装置
ＮＣ    制御部
【図１】
2017071048.tif 000002
【図２ａ】
2017071048.tif 000003
【図２ｂ】
2017071048.tif 000004
【図３ａ】
2017071048.tif 000005
【図３ｂ】
2017071048.tif 000006
【図３ｃ】
2017071048.tif 000007
【図４】
2017071048.tif 000008